(57)【特許請求の範囲】
【請求項１】
車体前後方向に単位燃料電池を積層してなる燃料電池スタック（１２）を車体のフロアパネル（１）下に配置した燃料電池自動車において、
前記フロアパネル（１）にはダッシュロア（１ａ）の下端部から車体後部に向かう左右のフロントシート（２０，２０）、リヤシート（２１，２１）間に、上方に膨出するフロアトンネル（２２）を形成し、前記フロアトンネル（２２）には前記左右のフロントシート（２０，２０）間に車体前後方向に延出し更に上方に膨出するセンターコンソール（２３）を形成し、
前記センターコンソール（２３）内に前記燃料電池スタック（１２）を配置し、
前記燃料電池スタック（１２）は、車体前後方向に配置されたシートレール（３３）とほぼ平行となるように前記単位燃料電池を車体前後方向に複数積層して構成し、
前記シートレール（３３）を、前記燃料電池スタック（１２）の上下方向略中央部付近とほぼ同等の高さに配置し、
前記センターコンソール（２３）の側壁（２５）の内面に、前記単位燃料電池の積層範囲に亘って車体前後方向に延びる閉断面構造部の補強フレーム（５５）を設けたことを特徴とする燃料電池自動車。
【請求項２】
前記センターコンソール（２３）の前端および後端はフロアトンネル（２２）に連続し、このセンターコンソール（２３）の前端および後端に連続する前記フロアトンネル（２２）の上面と同等の高さに前記補強フレーム（５５）を設けたことを特徴とする請求項１に記載の燃料電池自動車。
【請求項３】
前記センターコンソール（２３）の前端と前記フロアトンネル（２２）とが連続する部分に補強用の前部スティフナー（５８）を重合し、前記センターコンソール（２３）の後端と前記フロアトンネル（２２）とが連続する部分に補強用の後部スティフナー（５９）を重合し、前記前部スティフナー（５８）の後端部と前記補強フレーム（５５）の前端部を側面視で重ね、前記後部スティフナー（５９）の前端部と前記補強フレーム（５５）の後端部を側面視で重ねたことを特徴とする請求項２に記載の燃料電池自動車。
【請求項４】
前記補強フレーム（５５）に、前記センターコンソール（２３）の前記側壁（２５）との間に閉断面構造部を形成するビード（５７）を、車体前後方向に延出して設けたことを特徴とする請求項１から請求項３のいずれか１項に記載の燃料電池自動車。
【請求項５】
前記補強フレーム（５５）に、前記ビード（５７）を上下に隔てて一対設けたことを特徴とする請求項４に記載の燃料電池自動車。
【請求項６】
前記燃料電池スタック（１２）の積層方向両端部に設けたエンドプレート（１２ＦＥ，１２ＲＥ）が、前記補強フレーム（５５）と側面視で重複することを特徴とする請求項１から請求項５のいずれか１項に記載の燃料電池自動車。
【発明の詳細な説明】
【技術分野】
【０００１】
この発明は、燃料電池自動車に関する。
【背景技術】
【０００２】
燃料電池自動車の中には、燃料電池スタックを車室空間内（乗員の居住空間内）に搭載することで、塵埃や汚水に晒されることを防止すると共にメンテナンスの便を考慮したものがある（例えば、特許文献１参照）。
【特許文献１】特開２００４−１２２９７１号公報
【発明の開示】
【発明が解決しようとする課題】
【０００３】
しかしながら、燃料電池スタックを乗員の居住空間内に配置した場合には、乗員が容易に燃料電池スタックに触れられないようにこの燃料電池スタックを居住空間と隔絶するための部材が別途必要となってしまい、その結果、車体重量が増加してしまう。また、燃料電池自動車では、通常の自動車としての衝突安全対策に加えて、燃料電池スタックを保護するために様々な対策を施す必要があるが、燃料電池スタックが車室内に配置されていると、これを保護するための各種部材が必要となり、したがって、車室内の乗員居住空間を狭くしてしまう問題がある。
【０００４】
そこで、この発明は、燃料電池スタックを車室外側に配置しつつ、燃料電池スタックを保護することができる燃料電池自動車を提供することを目的とする。
【課題を解決するための手段】
【０００５】
上記目的を達成するために、請求項１に記載した発明は、車体前後方向に単位燃料電池を積層してなる燃料電池スタック（例えば、後述する実施形態における燃料電池スタック１２）を車体のフロアパネル（例えば、後述する実施形態におけるフロアパネル１）下に配置した燃料電池自動車において、前記フロアパネルにはダッシュロア（例えば、後述する実施形態におけるダッシュロア１ａ）の下端部から車体後部に向かう左右のフロントシート（例えば、後述する実施形態におけるフロントシート２０，２０）、リヤシート（例えば、後述する実施形態におけるリヤシート２１，２１）間に、上方に膨出するフロアトンネル（例えば、後述する実施形態におけるフロアトンネル２２）を形成し、前記フロアトンネルには前記左右のフロントシート間に車体前後方向に延出し更に上方に膨出するセンターコンソール（例えば、後述する実施形態におけるセンターコンソール２３）を形成し、前記センターコンソール内に前記燃料電池スタックを配置し、前記燃料電池スタックは、車体前後方向に配置されたシートレール（例えば、後述する実施形態におけるシートレール３３）とほぼ平行となるように前記単位燃料電池を車体前後方向に複数積層して構成し、前記シートレールを、前記燃料電池スタックの上下方向略中央部付近とほぼ同等の高さに配置し、前記センターコンソールの側壁（例えば、後述する実施の形態における側壁２５）の内面に、前記単位燃料電池の積層範囲に亘って車体前後方向に延びる閉断面構造部の補強フレーム（例えば、後述する実施形態における補強フレーム５５）を設けたことを特徴とする。
【０００６】
請求項２に記載した発明は、請求項１に記載の発明において、前記センターコンソールの前端および後端はフロアトンネル（例えば、後述する実施形態におけるフロアトンネル２２）に連続し、このセンターコンソールの前端および後端に連続する前記フロアトンネルの上面と同等の高さに前記補強フレーム（例えば、後述する実施形態における補強フレーム５５）を設けたことを特徴とする。
請求項３に記載した発明は、請求項２に記載の発明において、前記センターコンソールの前端と前記フロアトンネルとが連続する部分に補強用の前部スティフナー（例えば、後述する実施形態における前部スティフナー５８）を重合し、前記センターコンソールの後端と前記フロアトンネルとが連続する部分に補強用の後部スティフナー（例えば、後述する実施形態における後部スティフナー５９）を重合し、前記前部スティフナーの後端部と前記補強フレームの前端部を側面視で重ね、前記後部スティフナーの前端部と前記補強フレームの後端部を側面視で重ねたことを特徴とする。
請求項４に記載した発明は、請求項１から請求項３のいずれか１項に記載の発明において、前記補強フレームに、前記センターコンソールの前記側壁との間に閉断面構造部を形成するビード（例えば、後述する実施形態におけるビード５７）を、車体前後方向に延出して設けたことを特徴とする。
請求項５に記載した発明は、請求項４に記載の発明において、前記補強フレームに、前記ビードを上下に隔てて一対設けたことを特徴とする。
請求項６に記載した発明は、請求項１から請求項５のいずれか１項に記載の発明において、前記燃料電池スタックの積層方向両端部に設けたエンドプレート（例えば、後述する実施形態におけるエンドプレート１２ＦＥ，１２ＲＥ）が、前記補強フレームと側面視で重複することを特徴とする。
【発明の効果】
【０００７】
請求項１から請求項６に記載した発明によれば、車両側面衝突時の過大な入力荷重によって、シートレールがセンターコンソールの側壁を介して燃料電池スタックに衝接する場合に、燃料電池スタックとシートレールがほぼ平行に配置されているので、シートレールはその平行状態を維持しながら燃料電池スタックに衝接する。その結果、シートレールの一部が燃料電池スタックに局所的に衝接することがなく、燃料電池スタックの局部的な損傷を防止することができる。
さらに、シートレールが燃料電池スタックの上下方向略中央部付近とほぼ同等の高さに配置しているので、シートレールが燃料電池スタックに衝接したときに燃料電池スタックを回転させようとするモーメントが発生しにくく、燃料電池スタックを確実に保護することができる。
また、センターコンソールの側壁の内面には単位燃料電池の積層範囲に亘って車体前後方向に延出する補強フレームが設けられているので、フロントシートがセンターコンソールの側面を局部的に押圧した場合にも、その押圧力を補強フレームの全長に亘って分散させることができ、センターコンソールの強度を高めることができる。その結果、車両側面衝突時にセンターコンソールが変形し難くなり、燃料電池スタックに作用する荷重を小さくして、燃料電池スタックを確実に保護することができる。
また、車両側面衝突時の過大な入力荷重によって万が一センターコンソールの側面が凹む場合にも、補強フレームが存在していない部分が変形することによって補強フレームが殆ど変形せずに平行移動して燃料電池スタックのほぼ全長に亘って衝接するので、荷重を分散させることができ、荷重集中を防止して、燃料電池スタックを確実に保護することができる。さらに、単位燃料電池を車体前後方向に積層した積層範囲に渡って補強部材を配置しているので、例えば複数の単位燃料電池の一部が車幅方向にずれたりするような局部的な損傷を防止するでき、燃料電池スタックを保護することができる。
したがって、燃料電池スタックをフロアレベル上側に位置させつつもフロアパネル下の車室外側に配置することで乗員の居住空間と隔絶し、かつセンターコンソールを燃料電池スタックを保護する部材として有効利用して、車両側面衝突時に燃料電池スタックを確実に保護することができる。
【０００８】
請求項２に記載した発明によれば、前記補強フレームを、センターコンソールの前端および後端に連続するフロアトンネルの上面と同等の高さに設けているので、車両前面衝突時や車両後面衝突時に、補強フレームがセンターコンソールの車体前後方向の強度を強め、センターコンソールが車幅方向に折れるのを防止して、燃料電池スタックを確実に保護することができる。
請求項３に記載した発明によれば、前部スティフナーの後端部と補強フレームの前端部を側面視で重ね、後部スティフナーの前端部と補強フレームの後端部を側面視で重ねているので、車両前面衝突時や車両後面衝突時に、補強フレームがセンターコンソールの車体前後方向の強度を強め、センターコンソールが車幅方向に折れるのを防止して、燃料電池スタックを確実に保護することができる。
請求項４および請求項５に記載した発明によれば、補強フレームに、センターコンソールの側壁との間に閉断面構造部を形成するビードを、車体前後方向に延出して設けているので、補強フレームが強度的に有利となり、その結果、車両側面衝突時にセンターコンソールが変形し難くなり、燃料電池スタックに作用する荷重を小さくして、燃料電池スタックを確実に保護することができる。
【発明を実施するための最良の形態】
【０００９】
次に、この発明の実施形態を図面に基づいて説明する。
図１〜図４に示すように、燃料電池自動車は、水素と酸素との電気化学反応によって発電を行う燃料電池スタック１２を車体のフロア下に搭載するもので、燃料電池スタック１２により生じた電力で駆動モータ１４を駆動して走行する。燃料電池スタック１２は、単位電池（単位燃料電池）を多数積層してなる周知の固体高分子膜型燃料電池（ＰＥＭＦＣ）であり、そのアノード側に燃料ガスとして水素ガスを供給し、カソード側に酸化剤ガスとして酸素を含む空気を供給することで、電気化学反応により電力を生成すると共に水を生成する。
【００１０】
燃料電池自動車には車体前部から車体後部に亘りフロアパネル１下に車体骨格部材を形成する左右一対のサイドフレーム２が設けられている。左右のサイドフレーム２の外側壁３にはアウトリガー４を介してサイドシル５が接合されている。サイドシル５の後端部はイクステンション６を介してサイドフレーム２の後部に合流するように接続されている。サイドフレーム２には車幅方向に車体骨格部材であるクロスメンバ７，８，９が接続されている。
【００１１】
車体前部のモータルーム１０にはフロントサブフレーム１１が設けられ、ここに燃料電池スタック１２に空気を送給するコンプレッサ１３と走行用の駆動モータ１４からなるポンプモータユニット１５が配置されている。
車体後部にはサイドフレーム２に下側から図示しない車輪及びサスペンションを一体で備えたリヤサブフレーム１６が取り付けられ、このリヤサブフレーム１６には燃料電池スタック１２の燃料である水素を貯留する水素タンク１７及び蓄電池１８が取り付けられている。
このように構成されたサイドフレーム２上であってサイドシル５，５間に亘る部位にフロアパネル１が接合されている。フロアパネル１の前端部は前側に立ち上がりダッシュロア１ａへと連なり、フロアパネル１の後端部は前記リヤサブフレーム１６の水素タンク１７上部を覆う位置まで延出している。
【００１２】
フロアパネル１にはダッシュロア１ａの下端部から車体後部に向かう左右のフロントシート２０、リヤシート２１間に、上方に膨出するフロアトンネル２２が形成されている。そして、このフロアトンネル２２には左右のフロントシート２０，２０間に車体前後方向に延出し更に上方に膨出するセンターコンソール２３が形成されている。
【００１３】
図４に示すように、フロアトンネル２２の左右の立ち上がり部２４から、センターコンソール２３の側壁（側面）２５に至る下面部位には三角形状の断面を形成するレインフォース２６が接合され、フロアトンネル２２及びセンターコンソール２３を補強している。レインフォース２６の下面には車体前後方向に沿って閉断面構造のセンターフレーム２７が接合され、前記サイドフレーム２の内側壁とフロアパネル１とのコーナー部分には車体前後方向に沿って閉断面構造の補強フレーム２８が接合されている。そして、これらセンターフレーム２７と補強フレーム２８との下面にはサブフレーム４０が取り付けられ、このサブフレーム４０に搭載された燃料電池スタック１２及び補機類１９がセンターコンソール２３内、つまり車室外側であるフロアパネル１下に配置されている。
【００１４】
図５に示すように、サブフレーム４０は、前記アウトリガー４に対応した位置に配置され車幅方向に延出する前サブクロスフレーム４１と後サブクロスフレーム４２を備えている。前後サブクロスフレーム４１，４２間には、これら前後サブクロスフレーム４１，４２の左右の端部同士を接合するサブサイドフレーム４３，４３が設けられ、このサブサイドフレーム４３，４３は前記サイドフレーム２の内側壁に沿って補強フレーム２８下に配置されるものである。尚、図５中ＦＲはフロント側を示す。
【００１５】
各サブサイドフレーム４３の内側には前記センターフレーム２７の下側に位置するサブセンターフレーム４４が車体前後方向に沿って配置されている。このサブセンターフレーム４４の前端部は前サブクロスフレーム４１に接続され、サブセンターフレーム４４の後端部は後サブクロスフレーム４２に接合され、サブセンターフレーム４４は更に後サブクロスフレーム４２よりも後方に延出している。左右のサブセンターフレーム４４の後端部は車幅方向に配置されたエンドパイプ４５によって連結され、エンドパイプ４５の左右の端部と後サブクロスフレーム４２の左右の端部は斜めに配置されたガセットパイプ４６により接合されている。
各サブセンターフレーム４４とサブサイドフレーム４３との間には前側と後側に中間パイプ４７，４７が所定間隔をもって接続されている。
【００１６】
サブフレーム４０の前後サブクロスフレーム４１，４２間であって左右のサブセンターフレーム４４間に燃料電池スタック１２が配置されている。この燃料電池スタック１２は前後サブクロスフレーム４１，４２に固定したブラケット４８，４９を介してサブフレーム４０に固定されている。また、エンドパイプ４５と後サブクロスフレーム４２との間にはサブセンターフレーム４４間に燃料電池スタック１２の補機類１９が配置されている。具体的には、図６に示すように前記補機類１９は下側から酸素系補機類１９ａ、その上に水素系補機類１９ｂ、更に上に燃料電池スタック１２のシステムを管理するＥＣＵ１９ｃの順に配置されている。
左側の前後中間パイプ４７，４７間にはＤＣ−ＤＣコンバータ５１が、右側の前後中間パイプ４７，４７間にはヒーター５０が各々載置されている。燃料電池スタック１２の前方、つまりセンターコンソール２３内の前端側には、コンタクタボックス５２が配置されている。このコンタクタボックス５２は、例えばサブフレーム４０上には搭載されず、サブフレーム４０の直前の両センターフレーム２７間に渡って設けられた図示しない支持フレームに直接固定されている（図２参照）。
【００１７】
そして、サブサイドフレーム４３と前後サブクロスフレーム４１，４２との取付部には、車体のサイドフレームの補強フレーム２８に対する取付点Ｐが設定され、サブセンターフレーム４４と前後サブクロスフレーム４１，４２との取付部には車体のセンターフレーム２７に対する取付点Ｐが設定され、エンドパイプ４５とガセットパイプ４６とサブセンターフレーム４４との取付部には車体のセンターフレーム２７に対する取付点Ｐが設定されている。これら１０箇所の取付点Ｐ，Ｐ，…において、前記サブフレーム４０が車体のセンターフレーム２７及び補強フレーム２８に下方からボルト、ナットにより締め付け固定され、サイドフレーム２の上下幅寸法内に収まるようになっている。
【００１８】
図６、図７に示すように、フロントシート２０下のフロアパネル１には上方に膨出するシート支持部２９が左右に形成され、各々に山形断面形状の前側シートブラケット３０が取り付けられ、シート支持部２９の後方に位置するフロアパネル１面には後方に下がるクランク形状の後側シートブラケット３１が取り付けられている。一方、フロントシート２０のシートクッション２０Ｃ裏面にはシートフレーム３２が設けられ、このシートフレーム３２の両側部下面に、フロントシート２０を車体前後方向に移動可能にするシートレール３３が取り付けられている。そして、シートレール３３の前端部が前側シートブラケット３０に取り付けられ、シートレール３３の後端部が後側シートブラケット３１に取り付けられ、フロントシート２０がフロアパネル１に固定されている。
【００１９】
フロアトンネル２２はフロントシート２０に着座する乗員の足元付近の第１水平部３９ａからセンターコンソール２３を連続形成し、センターコンソール２３は第１水平部３９ａから後方上部に向かって立ち上がる第１傾斜面３４を備え、フロントシート２０のシートクッション２０Ｃの上縁位置で水平に延出する第１上壁部３５が第１傾斜面３４に連続して形成されている。ここで、第１上壁部３５の高さはシートクッション２０Ｃの上縁とほぼ同一の高さに設定されている。そして、センターコンソール２３はシートバック２０Ｂの前面の手前で更に立ち上がりシートクッション２０Ｃの座面Ｚよりも高い位置に第２傾斜面３６を形成し、更にシートバック２０Ｂを前後方向で横断する水平な第２上壁部３７に連続し、この第２上壁部３７を経て後方に下がり前記第１上壁部３５よりもやや低い位置に形成されたフロアトンネル２２の第２水平部３９ｂに連なっている。尚、図中３８は窪み部を示す。つまり、センターコンソール２３の前端および後端はフロアトンネル２２に連続している。
ここで、フロントシート２０のシートクッション２０Ｃは、側面視で前記燃料電池スタック１２の配置位置に重なるように配置されている。また、前記第２上壁部３７はシートバック２０Ｂの前面から後面を跨ぐ位置に配置されている。
【００２０】
前記センターコンソール２３の第１上壁部３５下方から第２上壁部３７の前部下方に亘って燃料電池スタック１２が配置され、残りの第２上壁部３７の後部からフロアトンネル２２の第２水平部３９ｂに亘る部位に燃料電池スタック１２の補機類１９のうち酸素系補機類１９ａ、水素系補機類１９ｂが配置されている。ここで、第２上壁部３７の直下には燃料電池スタック１２及び水素系補機類１９ｂの上方に空間部５３が形成され、ここに燃料電池スタック１２のＥＣＵ１９ｃ及び水素センサが配置されている。尚、センターコンソール２３の上部には第１上壁部３５の後半部、第２傾斜面３６及び第２上壁部３７の上方でこれらを覆う位置にアームレスト５４が配置されている。
【００２１】
ここで、前記燃料電池スタック１２は車体前後方向に沿って単セル（単位燃料電池）を多数積層した構造のものであって、積層方向の端部である前端部と後端部には金属製のエンドプレート１２ＦＥ、１２ＲＥが取り付けられ、このエンドプレート１２ＦＥ，１２ＲＥによって積層された単セルを挟み込んで締め付け固定されている。したがって、燃料電池スタック１２は車体前後方向に配置されたシートレール３３とほぼ平行となるように配置され、シートレール３３は、燃料電池スタック１２の上下方向略中央部付近、つまり燃料電池スタック１２の重心Ｇの位置（図６参照）とほぼ同等の高さに、前側がやや上方に傾斜した姿勢で配置されることとなる。
また、燃料電池スタック１２の積層方向の端部である後端部のエンドプレート１２ＲＥは前記シートレール３３の延在範囲に配置されており、シートレール３３の後端とエンドプレート１２ＲＥは側面視で重複する位置となっている。尚、破線はシートレール３３の前端移動位置を示し、このときにシートレール３３の前端と燃料電池スタック１２の積層方向の端部である前端部のエンドプレート１２ＦＥは側面視で重複する。
【００２２】
センターコンソール２３の両側壁２５内面には燃料電池スタック１２における単セルの積層範囲に亘って車体前後方向に延出する補強フレーム５５がセンターコンソール２３の第１傾斜面３４の前端部下方からフロアトンネル２２の第２水平部３９ｂの前端部下方に至る範囲に設けられている。この補強フレーム５５はパネル材５６をセンターコンソール２３の側壁２５の内面に重合して形成したもので、具体的にはパネル材５６の上下に所定間隔を隔てて車体前後方向に延出する一対のビード５７を設けこのビード５７とセンターコンソール２３の側壁２５の内面との間に２条の閉断面構造部からなる補強フレーム５５を形成したものである。補強フレーム５５の上下方向中央は燃料電池スタック１２の重心Ｇの位置よりも高い位置に配置され、具体的には補強フレーム５５における下側の閉断面構造部の略中央部がフロアトンネル２２の第１水平部３９ａとほぼ同等の高さに設定され、上側の閉断面構造部の略中央部がフロアトンネル２２の第２水平部３９ｂ（すなわち窪み部３８の下面）とほぼ同等の高さに設定されている。
【００２３】
フロアトンネル２２の第１水平部３９ａと、センターコンソール２３の第１傾斜面３４の前端部に亘る位置には、センターコンソール２３の上壁２３Ｕから側壁２５の上部を覆い前記補強フレーム５５の前端部に重なるようにして、補強用の前部スティフナー５８が重合されている。また、フロアトンネル２２の第２水平部３９ｂにもその上壁から側壁の上部を覆い前記補強フレーム５５の後端部に重なるようにして、補強用の後部スティフナー５９が重合されている。
【００２４】
センターコンソール２３の第１上壁部３５の後端部から第２傾斜面３６、第２上壁部３７及びフロアトンネル２２の第２水平部３９ｂの手前に亘る位置にセンターコンソール２３の上壁２３Ｕから側壁２５の上部を覆い補強用の上部レインフォース６０が重合されている。この上部レインフォース６０は前記第２傾斜面３６との間に所定間隔を隔てて取り付けられ、センターコンソール２３との間にセンターコンソール２３の側壁２５同士を接続するように車幅方向に延出する閉断面構造のクロスメンバ部６１を形成している。また、上部レインフォース６０には車幅方向に延出する一対のビード６２が形成され、このビード６２とセンターコンソール２３との間にセンターコンソール２３の側壁２５同士を接続するように車幅方向に延出する２条の閉断面構造部からなるクロスビード６３が形成されている。前記クロスビード６３は、シートクッション２０Ｃの座面Ｚより高い位置であって、側面視でフロントシート２０のシートバック２０Ｂの側面２０Ｓと重なるように、シートバック２０Ｂの側方に配置されている。また、前記クロスビード６３の配置位置は、側面視で前記燃料電池スタック１２後方にオフセットしている。
【００２５】
上記実施形態によれば、図７に示すように、車両側面衝突時に車体側方から入力荷重（矢印で示す）が作用し、この荷重が右側のフロントシート２０に作用すると、右側のフロントシート２０がシートフレーム３２ごと車体幅方向中央部に移動してセンターコンソール２３の右側の側壁２５を外側から押圧する。ところが、この側壁２５に作用する押圧力はクロスビード６３とクロスメンバ部６１により受け止められ、閉断面構造であって座屈に対して強度的に有利なため、座屈しないでセンターコンソール２３の左側の側壁２５を押圧するように伝達され、更に左側のフロントシート２０に作用する。
したがって、車両側面衝突時の衝撃力を左右のフロントシート２０に分散させて作用させることで燃料電池スタック１２に直接的に作用する荷重を小さくして燃料電池スタック１２を確実に保護することができる。
【００２６】
とりわけクロスビード６３はフロントシート２０のシートクッション２０Ｃの座面Ｚよりも高い位置に配置されていることにより、このクロスビード６３の側方に位置しているシートバック２０Ｂの側面２０Ｓから作用する荷重により下部が支持されたフロントシート２０には車室内側に向かって倒れるようにしてモーメントが作用するが、このモーメントを力学的に有利な高い位置でクロスビード６３により受けることができ、腕が長い分だけ荷重を小さくすることができる。その結果、車両側面衝突時の衝撃力をクロスビード６３が強度的に有利な座屈方向で、かつ小さな荷重で受けることができ、クロスビード６３を小型化して車体重量の増加を最小限に抑えることができる。
【００２７】
そして、クロスビード６３がフロントシート２０のシートバック２０Ｂの側面２０Ｓに対応する位置に配置されているため、車両側面衝突時に作用する荷重は、一方のフロントシート２０から確実にクロスビード６３に作用し、更にこのクロスビード６３から他方のフロントシート２０のシートバック２０Ｂを介して当該フロントシート２０に確実に作用する。よって左右何れの方向から衝撃力が作用した場合でも、これを左右のフロントシート２０で荷重分担して確実に燃料電池スタック１２を保護することができる。
また、車両側面衝突時に、車体側部から一方のフロントシート２０に過大な衝撃力が作用しクロスビード６３が座屈した場合であっても、このクロスビード６３の配置部位の側方には燃料電池スタック１２は存在せず、燃料電池スタック１２に損傷を与えることはない。
【００２８】
さらに、側壁２５内面には単セルの積層範囲に亘って車体前後方向に延出する補強フレーム５５が設けられているので、シートフレーム３２がセンターコンソール２３の右側の側壁を局部的に押圧した場合にも、その押圧力を補強フレーム５５の全長に亘って分散させることができ、センターコンソール２３の強度を高めることができる。特に、補強フレーム５５はビード５７を設けたことによってセンターコンソール２３の内面との間に閉断面構造を形成しているので、強度的に有利である。その結果、車両側面衝突時にセンターコンソール２３が変形し難くなり、燃料電池スタック１２に作用する荷重を小さくして、燃料電池スタック１２を確実に保護することができる。
【００２９】
また、車両側面衝突時の過大な入力荷重によって万が一センターコンソール２３の側壁２５が凹む場合にも、補強フレーム５５が存在していない部分が変形することによって補強フレーム５５が殆ど変形せずに平行移動して燃料電池スタック１２に衝接する。このとき、補強フレーム５５は燃料電池スタック１２における単セルの積層範囲に亘って配置されているので、補強フレーム５５が燃料電池スタック１２の全長に亘って衝接することで荷重を分散させることができ、荷重集中を防止して、燃料電池スタック１２を確実に保護することができる。
さらに、多数の単セルを車体前後方向に積層した積層範囲に渡って補強フレーム５５を配置しているので、例えば多数ある単セルの一部が車幅方向にずれたりするような局部的な損傷を防止することができ、燃料電池スタック１２を保護することができる。
【００３０】
さらに、車両側面衝突時の過大な入力荷重によって、センターコンソール２３の側壁２５を介して右側のシートレール３３が燃料電池スタック１２に衝接する場合には、燃料電池スタック１２とシートレール３３がほぼ平行に配置されているので、シートレール３３はその平行状態を維持しながらその全長が燃料電池スタック１２に衝接する。したがって、シートレール３３の一部が燃料電池スタック１２に局所的に衝接することがないので、燃料電池スタック１２の局部的な損傷を防止することができる。また、シートレール３３の後端と燃料電池スタック１２の後端側のエンドプレート１２ＲＥが側面視で重複して位置することから、シートレール３３の全長が燃料電池スタック１２に衝接する場合にも、シートレール３３の後端がエンドプレート１２ＲＥに衝接し、強度的に強い部材であるエンドプレート１２ＲＥによって荷重の多くを受け止めることができる。したがって、シートレール３３が燃料電池スタック１２の単位セルを損傷するのを阻止することができ、その結果、燃料電池スタック１２を確実に保護することができる。また、シートレール３３が燃料電池スタック１２の重心Ｇの位置とほぼ同等の高さに位置しているので、シートレール３３が燃料電池スタック１２に衝接したときに燃料電池スタック１２を回転させようとするモーメントが発生しにくく、燃料電池スタック１２を確実に保護することができる。
【００３１】
また、補強フレーム５５が、センターコンソール２３の前端であるフロアトンネル２２の第１水平部３９ａおよびセンターコンソール２３の後端であるフロアトンネル２２の第２水平部３９ｂの上面と同等の高さに設けられ、補強フレーム５５の前端部が第１水平部３９ａに設けた前部スティフナー５８と重なり、補強フレーム５５の後端部が第２水平部３９ｂに設けた後部スティフナー５９と重なっているので、車両前面衝突時や車両後面衝突時に、補強フレーム５５がセンターコンソール２３の車体前後方向の強度を強め、センターコンソール２３が車幅方向に折れるのを防止して、燃料電池スタック１２を確実に保護することができる。
【００３２】
したがって、燃料電池スタック１２をポジション的にはフロアレベル上側であって車室空間内のフロントシート２０間に位置させつつもフロアパネル１下である車室外側に配置することで乗員の居住空間と隔絶し、かつセンターコンソール２３を燃料電池スタック１２を保護する部材として有効利用して、車両衝突時に燃料電池スタック１２を確実に保護することができる。
【図面の簡単な説明】
【００３３】
【図１】この発明の実施形態の車両の側面説明図である。
【図２】この発明の実施形態の車両の平面説明図である。
【図３】この発明の実施形態の車両を裏面から見た斜視図である。
【図４】図２のＡ−Ａ線に沿うフロアパネルの断面図である。
【図５】この発明の実施形態のサブフレームの平面図である。
【図６】図１の要部拡大断面図である。
【図７】図６のＢ−Ｂ線に沿う断面図である。
【符号の説明】
【００３４】
１  フロアパネル
１２  燃料電池スタック
２０  フロントシート
２２  フロアトンネル
２３  センターコンソール
２５  側壁（側面）
５５  補強フレーム
【図１】
0004503502.tif 000002
【図２】
0004503502.tif 000003
【図３】
0004503502.tif 000004
【図４】
0004503502.tif 000005
【図５】
0004503502.tif 000006
【図６】
0004503502.tif 000007
【図７】
0004503502.tif 000008